(57)【要約】【課題】化粧ボルト又は化粧ナット、即ち、塗装し又はメッキしたボルト又はナット、を回転用ソケットにより締め付け又は緩める際に、該ボルト又はナットの稜ないしその近傍部における塗膜又はメッキ層が剥がれることを防止する。【解決手段】天板部（２７）と該天板部に連なる側部（２９）とよりなり且つボルト頭（１３）又はナット（１５）に外嵌するに適した略多角形状体を柔軟材により一体的に形成してなることを特徴とする、ボルト又はナットの回転用ソケットにおけるボルト又はナットの保護具。天板部には透孔（３３）を備えさせることが望ましい。側部の外面全体に硬質板（４７）を取り付けることが望ましい。【選択図】図１
2005052918.tif 000002
【特許請求の範囲】
【請求項１】
天板部と該天板部に連なる側部とよりなり且つボルト頭又はナットに外嵌するに適した略多角形状体を柔軟材により一体的に形成してなることを特徴とする、ボルト又はナットの回転用ソケットにおけるボルト又はナットの保護具。
【請求項２】
前記天板部には透孔を備えさせたことを特徴とする、請求項１に記載のボルト又はナットの回転用ソケットにおけるボルト又はナットの保護具。
【請求項３】
前記側部の外面全体に硬質板を取り付たことを特徴とする、請求項１又は２に記載のボルト又はナットの回転用ソケットにおけるボルト又はナットの保護具。
【発明の詳細な説明】
【技術分野】
【０００１】
本発明は、ボルト又はナットの回転用ソケットにおけるボルト又はナットの保護具に関するものであり、更に詳しくは、塗装し又はメッキしたボルト又はナットを締め付け又は緩める際に該ボルト又はナットの塗膜又はメッキ層が剥がれないようにしたボルト又はナットの回転用ソケットにおけるボルト又はナットの保護具に係るものである。
【背景技術】
【０００２】
ボルト又はナットの回転用ソケットとしては、本発明者の出願に係る特開２００３−１３６４１６号公報に示すように、一端にボルト頭又はナットを嵌着させるボルト又はナット用受け口を開口させ、他端にラチェットレンチ等の回転手段の伝動突起を嵌着させる伝動突起用受口を開口させてなるものが既に知られている。
【特許文献１】特開２００３−１３６４１６号公報
【発明の開示】
【発明が解決しようとする課題】
【０００３】
上記従来の回転用ソケットは好ましく使用されるものではあるが、なお次のような問題がある。
【０００４】
上記従来の回転用ソケットにおいては、化粧ボルト又は化粧ナット、即ち、塗装し又はメッキしたボルト又はナット、を回転用ソケットにより締め付け又は緩める際に、該ボルト又はナットの稜ないしその近傍部における塗膜又はメッキ層が剥がれ易いという問題がある。即ち、図８に示すように、塗装し又はメッキしたボルト又はナット１を回転用ソケット３におけるボルト又はナット用受け口５内に嵌着した状態でラチェットレンチ等の回転手段により回転用ソケット３を回転させたときには、ボルト又はナット用受け口５の内面が該ボルト又はナット１の稜７に強力に圧接するため、該ボルト又はナットの稜７ないしその近傍部における塗膜又はメッキ層が剥がれるのである。換言すれば、ボルト又はナット１の稜７がボルト又はナット用受け口５の内面により線状に強力に押圧される結果、該ボルト又はナットの稜７ないしその近傍部における塗膜又はメッキ層が剥がれるのである。
【０００５】
本発明は上記従来の回転用ソケットにおける上述の如き問題を解決しようとしてなされたものである。
【課題を解決するための手段】
【０００６】
上記課題を解決するために、本発明は下記のボルト又はナットの回転用ソケットにおけるボルト又はナットの保護具を提供する。
【０００７】
（１）天板部と該天板部に連なる側部とよりなり且つボルト頭又はナットに外嵌するに適した略多角形状体を柔軟材により一体的に形成してなることを特徴とする、ボルト又はナットの回転用ソケットにおけるボルト又はナットの保護具（請求項１）。
【０００８】
（２）前記天板部には透孔を備えさせる（請求項２）。
【０００９】
（３）前記側部の外面全体に硬質板を取り付ける（請求項３）。
【００１０】
柔軟材とは、鉄よりも柔らかな材料をいう。柔軟材としては、例えばポリプロピレン、ナイロン等の合成樹脂が好ましく用いられる。また、硬質板は柔軟材よりも硬い材料により形成する。硬質板としては、例えば鉄板、硬質プラスチック板等を用いる。
【００１１】
［作用］
［請求項１の発明］
請求項１の発明による保護具は主としてボルトを締め付け又は緩める際に使用されるものである。即ち、請求項１の保護具は、ボルト又はナットの回転用ソケットにおけるボルト又はナット用受け口に着脱自在に内嵌（内側に嵌着）し又はボルト頭に着脱自在に外嵌（外側に嵌着）して使用する。保護具をボルト又はナット用受け口に内嵌したときには、ボルト頭を該保護具内に嵌着した状態でラチェットレンチ等の回転手段により回転用ソケットを回転させる。保護具をボルト頭に外嵌したときには、保護具を外嵌したボルト頭をボルト又はナット用受け口内に嵌着した状態でラチェットレンチ等の回転手段により回転用ソケットを回転させる。
【００１２】
上記いずれの場合にも、ボルト又はナット用受け口の内面は保護具を介してボルト頭を押圧する。しかして、保護具は柔軟材により形成されているため、ラチェットレンチ等の回転手段により回転用ソケットを回転させたときには該保護具はボルト又はナット用受け口の内面とボルト頭との間で変形する。その結果、ボルト頭は変形した保護具を介してボルト又はナット用受け口の内面により面状に押圧されることになる（図７参照）。換言すれば、ボルト頭の塗膜又はメッキ層に局部的な力が加えられることがない。従って、ボルト頭の稜ないしその近傍部における塗膜又はメッキ層が剥がれるおそれはない。
【００１３】
［請求項２の発明］
請求項２の発明による保護具はボルト又はナットを締め付け又は緩める際に使用されるものである。保護具の天板部に備えさせた透孔は、ナットを締め付け又は緩める場合に、該ナットを螺合させるボルトの挿通孔となる。図６参照。その他の点においては、請求項２の発明は前記請求項１の発明と実質的に同様の作用を有する。
【００１４】
［請求項３の発明］
請求項３の発明による保護具は、側部の外面全体に硬質板を取り付けているため、ボルト又はナットの回転用ソケットにおけるボルト又はナット用受け口の内面は該硬質板を介して保護具の外側面に圧接する。従って、該保護具の外側面には力が平均的にかかることになる。その結果、ボルト頭の塗膜又はメッキ層にも力が平均的にかかることになり、ボルト頭の稜ないしその近傍部における塗膜又はメッキ層が剥がれることはより完全に防止される。
【発明の効果】
【００１５】
［請求項１の発明］
上述の如く、ボルト又はナット用受け口の内面は保護具を介してボルト頭を押圧するのであるが、保護具は柔軟材により形成されているため、ラチェットレンチ等の回転手段により回転用ソケットを回転させたときには該保護具はボルト又はナット用受け口の内面とボルト頭との間で変形する。その結果、ボルト頭は変形した保護具を介してボルト又はナット用受け口の内面により面状に押圧されることになる。換言すれば、ボルト頭の塗膜又はメッキ層に局部的な力が加えられることがない。従って、ボルト頭の稜ないしその近傍部における塗膜又はメッキ層が剥がれるおそれはない。
【００１６】
［請求項２の発明］
請求項２の発明においては、保護具の天板部に備えさせた透孔はナットを螺合させるボルトの挿通孔となるため、該保護具はボルトのみならずナットを締め付け又は緩める際にも好ましく使用される。その他の点においては、請求項２の発明は前記請求項１の発明と実質的に同様の効果を発揮する。
【００１７】
［請求項３の発明］
請求項３の発明においては、保護具は側部の外面全体に硬質板を取り付けているため、該保護具の外側面には力が平均的にかかる。従って、ボルト頭の塗膜又はメッキ層にも力が平均的にかかることになり、ボルト頭の稜ないしその近傍部における塗膜又はメッキ層が剥がれることはより完全に防止される。
【発明を実施するための最良の形態】
【００１８】
まず、符号１１に示すボルト又はナットの回転用ソケットについて説明する。このボルト又はナットの回転用ソケット１１は、図３、図６に示すように、一端にボルト頭１３又はナット１５を嵌着させるボルト又はナット用受け口１７を開口させ、他端にラチェットレンチ等の回転手段１９の伝動突起２１を嵌着させる伝動突起用受口２３を開口させてなるものである。
【００１９】
図１〜図３に示すボルト又はナットの保護具２５について説明する。この保護具２５は、天板部２７と該天板部２７に連なる側部２９とよりなり且つボルト頭１３又はナット１５に外嵌するに適した略多角形状体を柔軟材により一体的に形成してなるものである。因みに、保護具２５は底部を有しない。図３における符号１２に示すものはボルト頭１３を備えたボルト、符号１４に示すものはボルト１２を螺合させるボルト保持体である。
【００２０】
次に、図４〜図６に示すボルト又はナットの保護具３１について説明する。この保護具３１は、透孔３３を備えた天板部３５と該天板部３５に連なる側部３７とよりなり且つボルト頭１３又はナット１５に外嵌するに適した略多角形状体を柔軟材により一体的に形成してなるものである。因みに、保護具３１も底部を有しない。
【００２１】
なお、図６における符号４１に示すものはナット１５を螺合させるボルト、符号４３に示すものはボルト４１を螺合させるボルト保持体である。また、図７における符号４５に示すものはボルト頭１３又はナット１５の稜である。
【００２２】
図９に示す事例においては、保護具２５（３１）における側部２９（３７）の外面全体に硬質板４７を取り付けている。
【図面の簡単な説明】
【００２３】
【図１】保護具の一例を示す斜視図である。
【図２】同上保護具を示す別の斜視図である。
【図３】同上保護具の使用状態を示す断面図である。
【図４】保護具の別の一例を示す斜視図である。
【図５】同上保護具を示す別の斜視図である。
【図６】同上保護具の使用状態を示す断面図である。
【図７】上記いずれかの保護具を使用した場合におけるボルト又はナットと回転用ソケットとの関係を示す断面図である。
【図８】保護具を使用しない場合におけるボルト又はナットと回転用ソケットとの関係を示す断面図である。
【図９】保護具の更に別の一例を示す断面図である。
【符号の説明】
【００２４】
１  ボルト又はナット
３  回転用ソケット
５  ボルト又はナット用受け口
７  稜
１１  回転用ソケット
１２  ボルト
１３  ボルト頭
１４  ボルト保持体
１５  ナット
１７  ボルト又はナット用受け口
１９  回転手段
２１  伝動突起
２３  伝動突起用受口
２５  保護具
２７  天板部
２９  側部
３１  保護具
３３  透孔
３５  天板部
３７  側部
４１  ボルト
４３  ボルト保持体
４５  稜
４７  硬質板
【図１】
2005052918.tif 000003
【図２】
2005052918.tif 000004
【図３】
2005052918.tif 000005
【図４】
2005052918.tif 000006
【図５】
2005052918.tif 000007
【図６】
2005052918.tif 000008
【図７】
2005052918.tif 000009
【図８】
2005052918.tif 000010
【図９】
2005052918.tif 000011